(57)【特許請求の範囲】
【請求項１】
ウエビング保護システムにおいて：
第１のパッド面及び第２のパッド面を有する少なくとも一のパッド部分であって、各パッド部分の前記第１のパッド面がユーザの身体の一部に係合するように構成されており、各パッド部分の前記第２のパッド面が少なくとも一のパッドチャネルガイドを有する、パッド部分と；
少なくとも一の保護部材であって、各保護部材が少なくとも一の突出部分を具えており、当該保護部材の前記突出部分が関連するパッド部分の関連するパッドチャネルガイドと整列して、第１のウエビング用の第１のガイド路を提供するように各保護部材が関連するパッド部分に連結されており、各保護部材が前記ガイド路近傍において前記第１のウエビング用の摩耗保護を提供する、保護部材と；を具え、
前記第１のウエビング用の第１のガイド路と第２のウエビング用の第２のガイド路が互いに交差していることを特徴とするウエビング保護システム。
【請求項２】
請求項１に記載のウエビング保護システムが更に：
各保護部材が第１の保護面と第２の保護面を具え、各保護部材の前記第１の保護面が、関連するパッド部分の第２のパッド面に係合するように構成されており、前記少なくとも一の保護部材の第１の保護面が、前記関連するパッド部分の関連するパッドチャネルガイドと整列する少なくとも一の保護部材チャネルを更に具えており、第２のウエビング用の第２のガイド路を提供している；
ことを特徴とするウエビング保護システム。
【請求項３】
請求項２に記載のウエビング保護システムにおいて、各保護部材の前記第２の保護面が、少なくとも一の突出リッジを具えることを特徴とするウエビング保護システム。
【請求項４】
請求項１に記載のウエビング保護システムにおいて、前記少なくとも一のパッド部分が更に：
第１の端部パッド部分と；
第２の端部パッド部分と；
当該第１の端部パッド部分と第２の端部パッド部分の間に位置する中央部パッド部分とを具え；前記第１の端部パッド部分、前記第２の端部パッド部分、及び前記中央部パッド部分が互いにフレキシブルに連結されていることを特徴とするウエビング保護システム。
【請求項５】
請求項４に記載のウエビング保護システムにおいて、前記第１の端部パッド部分が、前記中央パッド部分に第１の布製ストリップで連結されており、前記第２の端部パッド部分が、前記中央パッド部分に第２の布製ストリップで連結されていることを特徴とするウエビング保護システム。
【請求項６】
請求項４に記載のウエビング保護システムにおいて、前記少なくとも一の保護部材が更に、第１及び第２の保護部材を具え、当該第１及び第２の保護部材が前記中央パッド部分に、前記第１及び第２の保護部材の少なくとも一の突出部分が、前記中央パッド部分の少なくとも一のチャネルガイドに整列して、前記第１のウエビングの第１のガイド路を提供するように連結されていることを特徴とするウエビング保護システム。
【請求項７】
請求項１に記載のウエビング保護システムにおいて、前記パッド部分が腰パッドであることを特徴とするウエビング保護システム。
【請求項８】
ウエビングを安全ハーネスのパッドに固定する方法において：
少なくとも一の保護部材の第１の部分を前記パッドに連結するステップと；
前記パッドに連結されていない前記少なくとも一の保護部材の第２の部分の間で前記少なくとも一のウエビングをスライドさせることによって、少なくとも一のウエビングを前記保護部材と前記パッドの間に配置するステップと；
前記少なくとも一の保護部材の第２の部分を前記パッドに連結して、前記少なくとも一の保護部材と前記パッドの間に前記少なくとも一のウエビングを保持するステップと；
前記保護部材と前記パッドの間に少なくとも一のウエビングを配置するステップであって、更に；
前記パッドと前記少なくとも一の保護部材によって形成したチャネル路内に前記少なくとも一のウエビングを配置するステップであって、前記チャネル路が、前記少なくとも一の保護部材の少なくとも一の突出部分によって形成されている、ステップと；
を具え、
前記少なくとも一の保護部材の第１の部分を前記パッドに連結するステップが更に：
前記少なくとも一の保護部材の少なくとも一の取り付けタブを、前記パッドを作っている圧縮パッド部材とビンディングの間に配置するステップと；
前記圧縮パッド部材を前記ビンディングに縫いつけるステップと；
を具えることを特徴とする方法。
【請求項９】
請求項８に記載の方法において、前記チャネル路が、前記パッド内のチャネルガイドと、前記少なくとも一の保護部材のウエビングスロットによって形成されていることを特徴とする方法。
【請求項１０】
請求項８に記載の方法において、前記少なくとも一の保護部材の第２の部分を前記パッドに連結して、前記少なくとも一の保護部材と前記パッドの間に前記少なくとも一のウエビングを保持するステップが更に：
前記パッドに前記少なくとも一の保護部材の第２の部分を縫いつけるステップを具えることを特徴とする方法。
【請求項１１】
請求項１０に記載の方法が更に：
前記少なくとも一のウエビングを前記保護部材に縫いつけるステップを具えることを特徴とする方法。
【発明の詳細な説明】
【技術分野】
【０００１】
〔背景技術〕
落下防止及び転倒防止に用いられる安全ハーネスは、ユーザの身体周囲に固定したウエビング又はストラップを使用する。使用に際しては、支持構造体に取り付けた引き綱、救命索、又は同様の連結手段にハーネスを取り付ける。ユーザがスリップすると、ハーネスのストラップと連結手段が、作業者が地面に落下することを防止する。このように、転倒防止のハーネスを正しく機能させるためにはラップ同士を保持しストラップをバックルなどのコネクタに保持する、ストラップと縫い目の構造的一体性が必須である。
【０００２】
上述した理由で、及び本明細書を読んで理解した時に当業者に自明である以下の理由によって、ウエビング又は縫い目を有効かつ効率良く保護するデバイスがこの分野で求められている。
【発明の概要】
【０００３】
本発明の実施例は、現在のシステムの上述した問題点に取り組むものであり、以下の明細書を読み検討することによって理解されるであろう。以下の概要は、例示的なものであり、限定を意味するものではない。これは、単に読者に本発明のいくつかの態様を理解させる目的で提供されているだけである。
【０００４】
一実施例では、ウエビング保護システムが提供されている。このウエビング保護システムは、少なくとも一のパッド部分と少なくとも一の保護部材を具える。この少なくとも一のパッド部分は、第１のバッド面と第２のパッド面を有する。各パッド部分の第１のパッド面は、ユーザの身体の一部に係合するように構成されている。各パッド部分の第２のパッド面は、少なくとも一のパッドチャネルガイドを有する。各保護部材は、少なくとも一の突出部分を具えている。各保護部材は、各保護部材の突出部分が関連するパッド部分の関連するパッドチャネルガイドに整列するように関連するパッド部分に連結されており、第１のウエビング用の第１のガイド路を提供している。各保護部材は、このガイド路近傍で第１のウエビングに対する摩耗を保護している。
【図面の簡単な説明】
【０００５】
本発明は、詳細な説明と以下の図面を参照して考えたときに、より容易に理解することができ、更なる利点と使用がより容易に明らかになる。
【図１】図１は、本発明の一実施例のハーネスの背面図である。
【図２】図２Ａは、本発明の一実施例の腰パッドの正面図である。図２Ｂは、図２Ａの腰パッドの背面図である。
【図３】図３Ａ乃至３Ｃは、本発明の一実施例の腰パッドの前側面図におけるストラップと保護部材の位置を示す図である。
【図４】図４Ａは、本発明の一実施例の保護部材を示す正面図である。図４Ｂは、図４Ａの実施例の保護部材の背面図である。
【図５】図５Ａ乃至５Ｅは、本発明の実施例のストラップを配置して保護部材を取り付ける一方法を示す図である。
【図６】図６は、本発明の一実施例の背当てパッドの正面図である。
【図７】図７Ａは、本発明の別の実施例の保護部材を示す正面図である。図７Ｂは、図７Ａの実施例の保護部材の背面図である。
【図８】図８は、本発明の一実施例の引き綱システムを示す前側面図である。
【図９】図９は、本発明の腰パッドと保護部材の別の実施例を示す図である。
【図１０】図１０Ａは、図９の保護部材の正面図である。図１０Ｂは、図９の保護部材の平面図である。図１０Ｃは、図９の保護部材の側面図である。
【０００６】
一般的な方法によれば、ここに説明した様々な特徴は寸法通り描かれていないが、本発明に関連する特定の特徴が強調して記載されている。符号は、図面及び明細書を通して同じ要素を示す。
【発明を実施するための形態】
【０００７】
以下の詳細な説明において、この説明の一部を成す添付図面に符号が付されており、本発明を実施する特定の実施例を表示することによって示されている。これらの実施例は、当業者が本発明を実施できるように十分詳細に記載されており、本発明の精神と範囲から離れることなく機械的な変更を行うことができる。従って、以下の詳細な説明は限定の意味に解するべきではなく、本発明の範囲は特許請求の範囲およびその均等物によってのみ規定される。
【０００８】
本発明の実施例は、落下防止ハーネスの摩耗する傾向にある領域のストラップと縫い目の摩耗を防ぐデバイスを提供する。特に、実施例では、保護部材がストラップを摩耗から保護する。実施例はまた、ストラップのルーティングを提供している。図１は、本発明の一実施例のハーネス１００の背面を示す図である。図に示すように、ハーネス１００は、複数のストラップを具えている。特に、この実施例は、肩ストラップ１０８Ａ及び１０８Ｂ、フロントストラップ１２２Ａ及び１２２Ｂ、胸ストラップ１２４Ａ及び１２４Ｂ、バックストラップ１２０Ａ及び１２０Ｂ、腰ストラップ１１６、シートストラップ１３０、及び脚ストラップ１１０Ａ及び１１０Ｂを具えるものが示されている。ストラップ１０８Ａ、１０８Ｂ、１２２Ａ、１２２Ｂ、１２４、１２０Ａ、１２０Ｂ、１１６、１１０Ａ、１１０Ｂは、通常、ウエビング１０８Ａ、１０８Ｂ、１２２Ａ、１２２Ｂ、１２４、１２０Ａ、１２０Ｂ、１１６、１１０Ａ及び１１０Ｂと呼ばれる。ストラップ又はウエビング１０８Ａ、１０８Ｂ、１２２Ａ、１２２Ｂ、１２４、１２０Ａ、１２０Ｂ、１１２、１１６、１１０Ａ、及び１１０Ｂは、ユーザの身体周囲に固定されており、特に、肩ウエビング１０８Ａと１０８Ｂは、ユーザの肩周辺に位置している。バックウエビング１０２Ａ及び１０２Ｂは、ユーザの背中に沿って配置される。前側ウエビング１２２Ａと１２２Ｂは、ユーザの前側に配置される。腰ウエビング１１６は、ユーザのウエストの周りに固定されている。胸ウエビング１２４Ａ及び１２４Ｂは、ユーザの胸の上を通って、コネクタ１２５Ａと１２５Ｂで連結される。更に、脚ウエビング１１０Ａと１１０Ｂは、ユーザの脚の周りにストラップで固定され、脚コネクタ１０９Ａと１０９Ｂ及び１１１Ａと１１１Ｂでそれぞれ適所に連結される。図１に示すように、ウエビング１２２Ａ、１０８Ａ及び１２０Ｂは、単一ウエビングの部分であり、ウエビング１２２Ｂ、１０８Ｂ、及び１２０Ａも単一ウエビングの部分であり、ハーネス１００を形成している。
【０００９】
図１に示す落下防止ハーネス１００は、又、背面パッド１０５と腰パッド１０２を具える。これらのパッド１０５と１０２は、選択ウエビング１０８Ａ、１０８Ｂ、１２０Ａ、１２０Ｂ、１２２Ａ、１２２Ｂ、及び１１６と、ユーザとの間にクッション材を提供している。図１の実施例の背面パッド１０４近傍でストラップ１０８Ａと１２０Ｂと１０８Ｂと１２０ＡにＤ−リング１０３が連結されている。使用に際しては、このＤ−リング１０３は、救命索の引き綱を有する支持構造に固定されており、落下を防止すると共に、事故が発生した時にユーザが地面に落下しないようにしている。図に示すように、肩ストラップ１０８Ａ及び１０８Ｂは、Ｄ−リング１３０の保持開口１３２を通っている。また、図１には腰ウエビング１１６に連結された作業位置を決めるＤ−リング１１８Ａと１１８Ｂが示されている。この作用位置を決めるＤ−リング１１８Ａと１１８Ｂは、ユーザを所望の作業位置に配置する際の取付点として使用される。
【００１０】
本発明の実施例では、保護部材１０４Ａ、１０４Ｂ、１０４Ｃ、及び１０４Ｄなどの腰パッド１０２に関連する保護部材と、背面パッド１０５に関連する保護部材１０６Ａと１０６Ｂが使用されている。これらの保護部材１０４Ａ、１０４Ｂ、１０４Ｃ、１０４Ｄ、１０６Ａ及び１０６Ｂは各々、関連するウエビングを摩耗から保護する。保護部材１０４Ａ、１０４Ｂ、１０４Ｃ、１０４Ｄ、１０６Ａ及び１０６Ｂについて、以下に更に説明する。
【００１１】
図２Ａを参照すると、一実施例の腰パッド１０２の正面図が示されている。腰パッド１０２は、限定するものではないが、圧縮成型フォームなどのフレキシブル材でできている。一実施例では、この圧縮フォームの少なくとも一部の上が布製カバーで覆われている。使用されている布のタイプの一例はナイロンである。その他のタイプの布を用いることもできる。チャネルガイド２０２と、保護部材１０４Ａ、１０４Ｂ、１０４Ｃ、及び１０４Ｄを有する腰パッド１０２が記載されている。また、図２Ａには、フレキシブル部分２０６Ａと２０６Ｂが記載されている。このフレキシブル部分２０６Ａと２０６Ｂは、腰パッド１０２をユーザのウエスト周りで曲がりやすくする材料でできている。一実施例では、このフレキシブル部分２０６Ａ及び２０６Ｂは、布製ストリップでできている。図２Ａに示す実施例では、腰パッド１０２が開口２０４Ａと２０４Ｂを具え、換気を行っている。図２Ｂは、腰パッド１０２の背面図である。この背面図には、ユーザのウエストに係合するように設計された腰パッド１０２の第１の側部２１２が示されいる。図に示すように、腰パッド１０２の第１の側部２１２は、スペースを空けて配置された突出部を具え、当て物（パッディング）と換気を提供している。腰パッド１０２の第２の側部２１０は、図２Ａに示されている。
【００１２】
図３Ａ乃至３Ｃは、一実施例の腰パッド１０２の前側面図であり、ウエビング１１６、１２２Ａ、及び１２０Ａと、保護部材１０４Ａと１０４Ｂを示す。この配置は、一方の側部について記載されており、他方の側部は同様に構成されている。図３Ａを参照すると、腰ウエビング１１６は、チャネルガイド２０２内に配置されている。図に示すように、この図における腰パッド１０２は又、ガイドチャネル３０２Ａ、３０２Ｂ及び３０２Ｃを具える。図３Ｂには、チャネルガイド３０２Ａに配置したウエビング１２２Ａと、チャネルガイド３０２Ｂに配置したウエビング１２０Ａが示されている。図には示していないが、この実施例では、ウエビング１２０Ｂを、チャネルガイド３０２Ｃで受けており、又、ウエビング１２２Ｂを関連するチャネルガイド（この図には示さず）で受けている。図３Ｃは、保護部材１０４Ａと１０４Ｂが各チャネルガイド２０２、３０２Ａ及び３０２Ｂに適合してどのようにチャネル経路を形成しているかを示す。各ウエビング１１６、１２２Ａ及び１２０Ａを、各チャネル経路で受けている。保護部材とウエビングの腰パッドへの取り付けについて、以下に更に述べる。
【００１３】
図４Ａ及び４Ｂを参照すると、一実施例における保護部材４００が示されている。特に、図４Ａは、保護部材４００の正面図であり、図４Ｂは保護部材４００の背面図である。図に示す通り、保護部材４００は、腰パッド１０２に取り付ける取り付け部分（または取付用タブ）４０６と４０８を具えている。各保護部材４００は、突出部４０４を具え、各ウエビングが通るガイド路を提供している。このように、いくつかの実施例では、保護部材４００がベルトループのように動作して、ウエビングを保持している。図４Ａと４Ｂに示す保護部材４００の実施例では、保護部材が更に、ウエビングスロット４１０と４１２を有しており、これが突出部４０４でできているガイド路と交差する第２のウエビング路を提供する。図４Ａに示すように、一実施例では、この突出部４０４がさらに、突出リッジ４０２Ａ、４０２Ｂ及び４０２Ｃを具えている。突出リッジ４０２Ａ、４０２Ｂ及び４０２Ｃは、摩耗する傾向にある位置においてウエビングを保護する追加の摩擦部材材料を提供している。更に、突出部４０４と突出リッジ４０２Ａ、４０２Ｂ及び４０２Ｃは、対象物が腰パッド１０２に接触しないようにして、ウエビングや、パッド自体と同様に、ウエビングの縫い目の摩耗を防止している。一実施例では、保護部材４００は、保温性のあるポリウレタン（ＴＰＵ）材料でできている。
【００１４】
一実施例における腰パッド５００への保護部材の取付を図５Ａ乃至５Ｃに示す。図５Ａを参照すると、腰パッドの圧縮パッド部材５０１が、ビンディング、ウエビング、及び保護部材がない状態で示されている。流線型の圧縮パッド部材５０１は、限定するものではないが、上述したような、圧縮成型フォームなどの材料でできている。図に示すように、この圧縮パッド部材５０１は、第１のチャネルガイド５０２と、第２のチャネルガイド５０４と、第３のチャネルガイド５０６を具える。第１のチャネル５０２は、突出部分５６０、５６２、５６４及び５６６を具える。突出部分５６０、５６２、５６４及び５６６は、第１のチャネル５０２に配置したウエビングが、ガイドチャネル５０４及び５０６に配置した交差するウエビングを邪魔しないようになっている。更に、一実施例では、突出部分５６０、５６２、５６４及び５６６が、ガイドチャネル５０４と５０６に配置したウエビングの厚さにほぼ相当する高さを有する。この構成は、第１のガイドチャネル５０２に配置したウエビングと共に、ユーザの腰部分周囲に圧縮されたパッド部材５０１により均一な力を提供している。また、図５Ａには開口５０８が記載されている。この開口５０８によって、使用中に腰パッドの通気性が確保される。
【００１５】
図５Ｂは、圧縮パッド部材５０１とビンディング５１４を具える腰パッド５００を示す。図５Ｂでは、各保護部材５１０と５１２が圧縮パッド部材５０１の上に配置されている。特に、保護部材５１０は、突出部分５１１が圧縮パッド部材５０１のチャネルガイド５０２に整列し、保護部材５１０のウエビングスロット５５０と５５２がチャネルガイド５０４に整列するように圧縮パッド部材５０１の上に配置されている。同様に、保護部材５１２は、突出部分５１３が圧縮パッド部材５０１のチャネルガイド５０２に整列し、保護部材５１０のウエビングスロット５５４と５５６がチャネルガイド５０６に整列するように圧縮パッド部材５０１の上に配置されている。保護部材５１０と５１２が、圧縮パッド部材５０１の上に位置すると、図５Ｂに示すように各保護部材５１０と５１２の一部が圧縮パッド部材５０１に連結される。特に、保護部材５１０については、保護部材５１０の取付タブ５２０と５２２が、圧縮パッド部材５０１とビンディング５１４との間に位置している。同様に、保護部材５１２のタブ５２４と５２６が、圧縮パッド部材５０１とビンディング５１４との間に配置されている。次いで、圧縮パッド部材５０１とビンディング５１４が縫い目５２１によって互いに連結され、腰パッド５００を形成する。縫い目５２１は、また、第１の保護部材５１０の外側連結フランジ５２０と５２２及び第２の保護部材５１２の外側フランジ５２４と５２６を、腰パッド５００に連結している。
【００１６】
各保護部材、本例では保護部材５１０と５１２の一部が腰パッド５００に連結されると、図５Ｃに示すように、ウエビング５３０と５３２などのウエビングが、腰パッド５００の各チャネルガイド５０４と５０６と、保護部材５１０と５１２のウエビングスロット５５０、５５２、５５４及び５５６によってできた各チャネル路に配置される。次いで、図５Ｄに示すように、第３のウエビング（腰ウエビング５３４）が、腰パッド５００のチャネルガイド５０２と保護部材５１０と５１２の突出部５１１と５１３によってできたチャネル路に配置される。各ウエビング５３０、５３２及び５３４が各々のチャネル路にくると、図５Ｅに示すように、保護部材５１０と５１２を腰パッド５００に完全に連結する。図５Ｅに示す実施例では、縫い目５４０で、保護部材５１０と５１２を腰パッド５００に連結している。一実施例では、縫い目５４０がウエビング５３０と５３２を通って、ウエビング５３０と５３２を腰パッド５００と保持部材５１０と５１２に対して定位置に維持するようにしている。縫い目５４０は、また、Ｄ−リング５３６が保護部材５１０を通り抜けないようにしている。腰パッドの他端部（図示せず）と同様の構成が、ウエビング５３６を腰パッド５００に保持している。保護部材５１０と５１２の突出部分５１１と５１３は、対象物が縫い目５４０に対してこすれないようにして、縫い目５４０を摩耗から保護する役割をしている。
【００１７】
肩ウエビング用の保護部材１０６Ａと１０６Ｂの一例が図６に示されている。図６は、保護部材１０６Ａと１０６Ｂ及び引き綱システム６０１Ａと６０１Ｂの正面図である。各引き綱システム６０１Ａ及び６０１Ｂは、背面パッド部分１０５の肩パッド部分６２０Ａと６２０Ｂに取り付けられている。引き綱システム６０１Ａと６０１Ｂは、ガイド部分６０２Ａと６０２Ｂを具えており、選択肩ウエビング１０８Ａと１０８Ｂのガイド路を提供している。引き綱システム６０１Ａと６０１Ｂは更に、ツール連結用に用いる取付部分６０３Ａと６０３Ｂを具えている。また、図６には、背面パッド１０５の背面パッド部分６３０が示されている。背面パッド１０５の肩パッド部分６２０Ａと６２０Ｂと共に用いられている保護部材７００が図７Ａと７Ｂに示されている。特に、図７Ａは、保護部材７００の正面図であり、図７Ｂは、保護部材７００の背面図である。保護部材７００は、連結部分７０６Ａと７０６Ｂを具えており、これが各肩パッド部分６２０Ａと６２０Ｂ近傍で背面パッド１０５に連結されている。保護部材７００は、関連するウエビング用のガイド路を提供する突出部７０２を具えている。保護部材７００は、更に、突出部７０２上に複数の突出リッジ７０４Ａ、７０４Ｂ及び７０４Ｃを具えており、過剰な摩耗部材に備えている。
【００１８】
図８を参照すると、一実施例の引き綱システム８００の前側面図が示されている。引き綱システム８００は、ガイド部８０１と取付部８０３を具える。引き綱システム８００は、更に、肩パッド部分６２０Ａと６２０Ｂ近傍に、図１に示す背面パッド１０５などの背面パッドに連結された連結部８０６Ａと８０６Ｂを具えている。各肩ストラップ１０８Ａ又は１０８Ｂは、ガイド部分８０１と背面パッド１０５との間に位置している。ガイド部分８０１は、連結部分８０６Ａと８０６Ｂから一段高くなっており、背面パッド１０５とガイド部分８０１との間にガイド路を形成している。この実施例のガイド部分８０１は、突出リッジ８０２Ａ、８０３Ｂ、及び８０３Ｃを具えており、ウエビング１０８Ａと１０８Ｂを保護する追加材を提供している。取付部分８０３は、比較的大きなスナップホック、カラビナなどのコネクタで、ツールや装具をここに取り付けるのに使用される。この実施例における引き綱システム８００の取り付け部分８０３は、突出リッジ８０４Ａ、８０４Ｂ、及び８０４Ｃを具えている。一の実施例では、取り付け部分８０３は、選択した量の力が加わったときに、引き綱システム８００から少なくとも部分的に離脱するように構成されている。これによって、取り付け部分部８０３（又は、取り付け部分８０３に取り付けたツール）が意図することなく、何かに引っかかったあるいは何かを取り込んだ場合に、取り付け部分８０３がユーザのタスクを邪魔しないようにする。一実施例では、この離脱アタッチメントは、弱くなった部分を提供するミシン目８２０などでできている。
【００１９】
図９は、本発明の腰パッド９００の別の実施例を示す図である。この腰パッド９００は、図１に示すハーネス１００を腰パッド１０２に替えて使用することができる。腰パッド９００は、保護部材９０２を具える。図に示すように、保護部材９０２は、限定するものではないが、リベットなどのコネクタ９０６を介して腰パッド９０１に連結されている。この実施例における保護部材９０２は、突出部分９０４を具えており、ここを腰ウエビングが通っている。これは、図１に示す保護部材１０４Ａ、１０４Ｂ、１０４Ｃ及び１０４Ｄを通る腰ウエビング１１６と同様である。保護部材９０２の突出部分９０６は、腰ウエビング９０５に対象物が接触しないようにしており、これによってウエビング９０５の摩耗を防止している。一実施例では、保護部材９０２は、軽量の熱可塑性物質でできている。図９に示す実施例では、保護部材９０２は長さＬを有し、この長さは、ユーザの背幅より狭い。従って、腰パッド９０１の残りの部分は、ユーザの背中に沿って曲げることができる。更に、保護部材９０２の長さＬを制限することによって、保護ハーネス９００の全重量を軽く維持することができる。図１０Ａ乃至１０Ｃは、更に、保護部材９０２を示す図である。特に、図１０Ａは、保護部材９０２の正面図である。図に示すように、保護部材９０２は、開口１００２を具えており、これによって、コネクタ９０６で保護部材９０２を背面パッド９００に連結できる。保護部材９０２の平面図が図１０Ｂに示されている。図に示すように、この実施例における保護部材９０２は湾曲部を有する。図１０Ｃに示す保護部材９０２の側面図は、保護部材９０２が腰パッドに係合するように構成した第１の側部と、摩耗保護を提供する第２の側部１００６を有することを示している。また、図１０Ｃには、突出部分９０４が示されており、これが、腰パッド９００と共に、ウエビング用のチャネル路を提供し、ウエビングと腰パッドの摩耗保護を提供している。
【００２０】
特定の実施例を図に示して説明したが、同じ目的を達成すると考えられる構成を、ここに示す特定の実施例に置き換えることができることは、当業者には自明である。この出願は、本発明の適応例及び変形例をカバーすることを意図している。従って、この発明は、請求の範囲及びその均等物によってのみ制限されることを明白に意図している。
【図１】
0005602163.tif 000002
【図２Ａ】
0005602163.tif 000003
【図２Ｂ】
0005602163.tif 000004
【図３Ａ】
0005602163.tif 000005
【図３Ｂ】
0005602163.tif 000006
【図３Ｃ】
0005602163.tif 000007
【図４Ａ】
0005602163.tif 000008
【図４Ｂ】
0005602163.tif 000009
【図５Ａ】
0005602163.tif 000010
【図５Ｂ】
0005602163.tif 000011
【図５Ｃ】
0005602163.tif 000012
【図５Ｄ】
0005602163.tif 000013
【図５Ｅ】
0005602163.tif 000014
【図６】
0005602163.tif 000015
【図７Ａ】
0005602163.tif 000016
【図７Ｂ】
0005602163.tif 000017
【図８】
0005602163.tif 000018
【図９】
0005602163.tif 000019
【図１０Ａ】
0005602163.tif 000020
【図１０Ｂ】
0005602163.tif 000021
【図１０Ｃ】
0005602163.tif 000022